(57)【要約】【課題】フレームに搭載したバッテリを使用することにより発生した熱がメガネの装着者にかける負担を軽減できることが望ましい。【解決手段】アイウエアであって、処理部と、処理部に電力を供給する第１バッテリと、アイウエアの装着者との間の距離が前記第１バッテリよりも長い、処理部に電力を供給する第２バッテリと、第１バッテリ及び第２バッテリのうちの一方の電力を他方の電力よりも優先して処理部に供給させる電力制御部とを備えるアイウエアを提供する。【選択図】図１
2015202198.tif 000002
【特許請求の範囲】
【請求項１】
アイウエアであって、
処理部と、
前記処理部に電力を供給する第１バッテリと、
前記アイウエアの装着者との間の距離が前記第１バッテリよりも長い、前記処理部に電力を供給する第２バッテリと、
前記第１バッテリ及び前記第２バッテリのうちの一方の電力を他方の電力よりも優先して前記処理部に供給させる電力制御部と
を備えるアイウエア。
【請求項２】
前記電力制御部は、前記アイウエアが前記装着者に装着されている場合、前記第２バッテリの電力を前記第１バッテリの電力よりも優先して前記処理部に供給させる、請求項１に記載のアイウエア。
【請求項３】
前記電力制御部は、前記アイウエアが前記装着者に装着されていない場合、前記第１バッテリの電力を前記第２バッテリの電力よりも優先して前記処理部に供給させる、請求項１又は２に記載のアイウエア。
【請求項４】
前記アイウエアが前記装着者に装着されていない場合に、前記第１のバッテリの電力によって前記第２のバッテリを充電する充電制御部
をさらに備える、請求項１から３のいずれか一項に記載のアイウエア。
【請求項５】
前記電力制御部は、前記第１バッテリの電力を前記第２バッテリの電力よりも優先して前記処理部に供給させ、
前記アイウエアは、
前記第１バッテリの温度を取得する温度取得部と、
前記第１バッテリの温度が予め定められた閾値より高い場合に、前記電力制御部に、前記第２バッテリの電力を前記第１バッテリの電力よりも優先して前記処理部に供給させる電力制御調整部と
をさらに備える、請求項１に記載のアイウエア。
【請求項６】
前記アイウエアの周囲の温度を取得する温度取得部と、
前記アイウエアの周囲の温度が予め定められた閾値より低い場合に、前記電力制御部に、前記第１バッテリの電力を前記第２バッテリの電力よりも優先して前記処理部に供給させる電力制御調整部と
をさらに備える、請求項１に記載のアイウエア。
【請求項７】
一対のテンプルと、
前記一対のテンプルのうちの少なくとも一方に設けられたコネクタと、
前記コネクタに結合された結合部材と
をさらに備え、
前記第１バッテリは、前記一対のテンプルのうちの一方に設置され、
前記第２バッテリは、前記結合部材に設置される、
請求項１から６のいずれか一項に記載のアイウエア。
【請求項８】
眼電位を検出する眼電位電極、
をさらに備え、
前記処理部は前記眼電位を処理する、請求項１から７のいずれか一項に記載のアイウエア。
【請求項９】
前記眼電位に基づいて、前記アイウエアが前記装着者に装着されているか否かを判定する装着判定部
をさらに備える、請求項８に記載のアイウエア。
【発明の詳細な説明】
【技術分野】
【０００１】
本発明は、アイウエアに関する。
【背景技術】
【０００２】
フレームにバッテリを搭載したメガネ型の装置が知られていた（例えば、特許文献１参照）。
［先行技術文献］
［特許文献］
［特許文献１］特開２０１３−０２９５０３号公報
【発明の概要】
【発明が解決しようとする課題】
【０００３】
フレームに搭載したバッテリを使用することにより発生した熱がメガネの装着者にかける負担を軽減できることが望ましい。
【課題を解決するための手段】
【０００４】
本発明の第１の態様によれば、アイウエアであって、処理部と、処理部に電力を供給する第１バッテリと、アイウエアの装着者との間の距離が前記第１バッテリよりも長い、処理部に電力を供給する第２バッテリと、第１バッテリ及び第２バッテリのうちの一方の電力を他方の電力よりも優先して処理部に供給させる電力制御部とを備えるアイウエアが提供される。
【０００５】
上記アイウエアにおいて、電力制御部は、アイウエアが装着者に装着されている場合、第２バッテリの電力を第１バッテリの電力よりも優先して処理部に供給させてよい。上記アイウエアにおいて、電力制御部は、アイウエアが装着者に装着されていない場合、第１バッテリの電力を第２バッテリの電力よりも優先して処理部に供給させてよい。上記アイウエアは、上記アイウエアが装着者に装着されていない場合に、第１のバッテリの電力によって第２のバッテリを充電する充電制御部をさらに備えてよい。上記アイウエアにおいて、電力制御部は、第１バッテリの電力を第２バッテリの電力よりも優先して処理部に供給させてよく、上位アイウエアは、第１バッテリの温度を取得する温度取得部と、第１バッテリの温度が予め定められた閾値より高い場合に、電力制御部に、第２バッテリの電力を第１バッテリの電力よりも優先して処理部に供給させる電力制御調整部とをさらに備えてよい。上記アイウエアは、アイウエアの周囲の温度を取得する温度取得部と、アイウエアの周囲の温度が予め定められた閾値より低い場合に、電力制御部に、第１バッテリの電力を第２バッテリの電力よりも優先して処理部に供給させる電力制御調整部とをさらに備えてよい。
【０００６】
上記アイウエアは、一対のテンプルと、一対のテンプルのうちの少なくとも一方のモダンに設けられたコネクタと、コネクタに結合された結合部材とをさらに備えてよく、第１バッテリは、一対のテンプルのうちの一方に設置されてよく、第２バッテリは、結合部材に設置されてよい。上記アイウエアは、眼電位を検出する眼電位電極をさらに備えてよく、処理部は眼電位を処理してよい。上記アイウエアは、眼電位に基づいて、アイウエアが装着者に装着されているか否かを判定する装着判定部をさらに備えてよい。
【０００７】
なお、上記の発明の概要は、本発明の必要な特徴の全てを列挙したものではない。また、これらの特徴群のサブコンビネーションもまた、発明となりうる。
【図面の簡単な説明】
【０００８】
【図１】メガネの一例を概略的に示す。
【図２】メガネの一例を概略的に示す。
【図３】メガネの一例を概略的に示す。
【図４】回路基板の機能構成の一例を概略的に示す。
【図５】回路基板の機能構成の他の一例を概略的に示す。
【図６】メガネによる処理の流れの一例を概略的に示す。
【図７】メガネによる処理の流れの一例を概略的に示す。
【発明を実施するための形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１から図３は、メガネ１００の一例を概略的に示す。図１は、メガネ１００の斜視図である。図２は、メガネ１００を背面側からみた部分拡大図である。図３は、メガネ１００の上面図である。メガネ１００は、アイウエアの一例であってよい。
【００１１】
本実施形態に係るメガネ１００は、フレーム１１０及び結合部材２００を備える。フレーム１１０は、フロント１２０、左テンプル１３０及び右テンプル１４０を有する。左テンプル１３０及び右テンプル１４０は、一対のテンプルの一例である。
【００１２】
フロント１２０は、リム１２２、左レンズ１２４、右レンズ１２６、左ノーズパッド１５２、右ノーズパッド１５４、眉間電極ユニット１５６及び温度センサ１５８を有する。
【００１３】
左ノーズパッド１５２は、フロント１２０に設置された支持部材１５１によって支持される。支持部材１５１は、一端がフロント１２０に設置され、他端が左ノーズパッド１５２を支持する線状の部材であってよい。左ノーズパッド１５２の表面には、左電極１６２が設置される。左電極１６２は、メガネ１００を装着する装着者１０がメガネ１００を装着したときに、装着者１０の鼻に当接する。
【００１４】
右ノーズパッド１５４は、フロント１２０に設置された支持部材１５３によって支持される。支持部材１５３は、一端がフロント１２０に設置され、他端が右ノーズパッド１５４を支持する線状の部材であってよい。右ノーズパッド１５４の表面には、右電極１６４が設置される。右電極１６４は、装着者１０がメガネ１００を装着したときに、装着者１０の鼻に当接する。
【００１５】
眉間電極ユニット１５６は、装着者１０がメガネ１００を装着したときに、装着者１０の眉間の正面に位置するべく、配置されてよい。眉間電極ユニット１５６の表面には、眉間電極１６６が設置される。眉間電極１６６は、装着者１０がメガネ１００を装着したときに、装着者１０の眉間に当接する。
【００１６】
温度センサ１５８は、装着者１０の周囲の温度を検出する。温度センサ１５８は、装着者１０の体温の影響をできる限り受けずに、装着者１０の周囲の温度を検出できる位置に配置されることが望ましい。例えば、温度センサ１５８は、リム１２２の端部に配置される。温度センサ１５８は、図１に示す通り、リム１２２の隅部に配置されてよい。
【００１７】
左テンプル１３０は、回路基板１３２、接地電極１３４及びコネクタ１３６を有する。接地電極１３４及びコネクタ１３６は、回路基板１３２に電気的に接続される。接地電極１３４は、左テンプル１３０の下面に配置されてよい。接地電極１３４は、装着者１０がメガネ１００を装着したときに、装着者１０の耳の上部に当接する位置に配置されてよい。
【００１８】
コネクタ１３６は、左テンプル１３０のいずれかの位置に設けられてよい。例えば、コネクタ１３６は、左テンプル１３０のモダンに設けられる。コネクタ１３６と回路基板１３２とは、配線１７８及び配線１８０によって電気的に接続される。
【００１９】
右テンプル１４０は、バッテリ１４２、参照電極１４４、コネクタ１４６及び温度センサ１４８を有する。バッテリ１４２は、右テンプル１４０、フロント１２０及び左テンプル１３０を介して回路基板１３２に電気的に接続される。バッテリ１４２は、配線１８２によって、回路基板１３２と電気的に接続される。バッテリ１４２は、回路基板１３２に電力を供給する。バッテリ１４２は、第１バッテリの一例であってよい。
【００２０】
参照電極１４４は、右テンプル１４０の下面に配置されてよい。参照電極１４４は、装着者１０がメガネ１００を装着したときに、装着者１０の耳の上部に当接する位置に配置されてよい。参照電極１４４は、右テンプル１４０、フロント１２０及び左テンプル１３０を介して回路基板１３２に電気的に接続される。参照電極１４４は、配線１８４によって、回路基板１３２と電気的に接続される。
【００２１】
コネクタ１４６は、右テンプル１４０のいずれかの位置に設けられてよい。例えば、コネクタ１４６は、右テンプル１４０のモダンに設けられる。コネクタ１４６は、バッテリ１４２と電気的に接続される。コネクタ１４６は、配線１８８によって、バッテリ１４２と電気的に接続される。
【００２２】
温度センサ１４８は、バッテリ１４２の近傍に設置される。温度センサ１４８は、バッテリ１４２の温度を検出する。バッテリ１４２の温度とは、バッテリ１４２の近傍に配置された温度センサ１４８が検出する温度であってよい。温度センサ１４８は、右テンプル１４０、フロント１２０及び左テンプル１３０を介して回路基板１３２に電気的に接続される。温度センサ１４８は、配線１８６によって、回路基板１３２と電気的に接続される。
【００２３】
左電極１６２は、左ノーズパッド１５２、支持部材１５１、フロント１２０及び左テンプル１３０を介して回路基板１３２と電気的に接続される。左電極１６２は、配線１７２によって、回路基板１３２と電気的に接続される。
【００２４】
右電極１６４は、右ノーズパッド１５４、支持部材１５３、フロント１２０及び左テンプル１３０を介して回路基板１３２と電気的に接続される。右電極１６４は、配線１７４によって、回路基板１３２と電気的に接続される。
【００２５】
眉間電極１６６は、眉間電極ユニット１５６、フロント１２０及び左テンプル１３０を介して回路基板１３２と電気的に接続される。眉間電極ユニット１５６は、配線１７６によって、回路基板１３２と電気的に接続される。
【００２６】
温度センサ１５８は、フロント１２０及び左テンプル１３０を介して回路基板１３２と電気的に接続される。温度センサ１５８は、配線１６８によって、回路基板１３２と電気的に接続される。
【００２７】
結合部材２００は、コネクタ２０２、コネクタ２０４、バッテリ２０６及びスロット２０８を有する。結合部材２００は、フレーム１１０に対して着脱可能であってよい。結合部材２００は、コネクタ２０２及びコネクタ２０４によってフレーム１１０に結合される。結合部材２００は、コネクタ２０２及びコネクタ２０４が、コネクタ１３６及びコネクタ１４６と結合することによって、フレーム１１０に結合されてよい。
【００２８】
結合部材２００は、フレーム１１０に対して着脱可能、かつ、固定可能であってよい。例えば、結合部材２００及びフレーム１１０は、一方が爪構造、他方が穴構造を有して、爪構造が穴構造に引っ掛かることによって、互いに固定されてよい。
【００２９】
バッテリ２０６は、回路基板１３２と電気的に接続されてよい。バッテリ２０６は、配線２１２、コネクタ２０２、コネクタ１３６及び配線１７８を介して、回路基板１３２と電気的に接続されてよい。コネクタ２０２及びコネクタ１３６は、例えば、ＵＳＢコネクタである。バッテリ２０６は、回路基板１３２に電力を供給する。バッテリ２０６は、装着者１０との間の距離がバッテリ１４２よりも長い第２バッテリの一例であってよい。バッテリ１４２と装着者１０との間の距離とは、バッテリ１４２と、バッテリ１４２に最も近い装着者１０の肌との間の距離であってよい。
【００３０】
バッテリ２０６は、バッテリ１４２と電気的に接続されてよい。バッテリ２０６は、配線２１４、コネクタ２０４、コネクタ１４６及び配線１８８を介して、バッテリ１４２と電気的に接続されてよい。コネクタ２０４及びコネクタ１４６は、例えば、ＵＳＢコネクタである。バッテリ２０６は、バッテリ１４２に電力を供給してよい。バッテリ１４２は、バッテリ２０６から供給された電力によって充電されてよい。
【００３１】
スロット２０８は、記憶媒体を差し込み可能な差込口である。スロット２０８には、ＳＤメモリーカード及びＵＳＢメモリ等が着脱可能であってよい。スロット２０８は、回路基板１３２と電気的に接続されてよい。スロット２０８は、配線２１６、コネクタ２０２、コネクタ１３６及び配線１８０を介して、回路基板１３２と電気的に接続されてよい。回路基板１３２は、スロット２０８に差し込まれた記憶媒体に対してデータを読み書きしてよい。
【００３２】
本実施形態に係る回路基板１３２は、左電極１６２、右電極１６４、眉間電極１６６、接地電極１３４及び参照電極１４４を用いて検出した眼電位を処理してよい。回路基板１３２は、バッテリ１４２から供給される電力を用いて眼電位を処理してよい。また、回路基板１３２は、バッテリ２０６から供給される電力を用いて眼電位を処理してよい。左電極１６２は、眼電位電極の一例であってよい。右電極１６４は、眼電位電極の一例であってよい。眉間電極１６６は、眼電位電極の一例であってよい。
【００３３】
眼電位を処理するとは、眼電位を演算処理することであってよい。例えば、回路基板１３２は、眉間電極１６６を基準とした左電極１６２の眼電位と、眉間電極１６６を基準とした右電極１６４の眼電位とを加減処理する。また、眼電位を処理するとは、眼電位に対して信号増幅処理をすることであってよい。また、眼電位を処理するとは、眼電位信号をデジタル化処理することであってよい。
【００３４】
また、眼電位を処理するとは、眼電位を送信することであってよい。例えば、回路基板１３２は、眼電位を情報端末４００に送信する。回路基板１３２は、無線通信によって、眼電位を情報端末４００に送信してよい。例えば、回路基板１３２は、Ｂｌｕｅｔｏｏｔｈ（登録商標）及びＷｉ−Ｆｉ（登録商標）等の無線ＬＡＮ等を用いて、眼電位を情報端末４００に送信する。情報端末４００は、スマートフォン等の携帯電話、タブレット端末及びＰＣ（Ｐｅｒｓｏｎａｌ  Ｃｏｍｐｕｔｅｒ）等であってよい。
【００３５】
また、眼電位を処理するとは、眼電位に従って、メガネ１００の装着者の視線を検出すること、瞬きを検出すること及び眠気を検出すること等であってよい。回路基板１３２は、視線の検出結果、瞬きの検出結果及び眠気の検出結果等を情報端末４００に送信してよい。
【００３６】
図４は、回路基板１３２の機能構成の一例を概略的に示す。回路基板１３２は、処理部３０２、装着判定部３０４、電力制御部３０６及び充電制御部３０８を備える。回路基板１３２がこれらのすべての構成を備えることは必須とは限らない。
【００３７】
処理部３０２は、処理を実行する。例えば、処理部３０２は、左電極１６２、右電極１６４、眉間電極１６６、接地電極１３４及び参照電極１４４によって検出された眼電位を処理する。処理部３０２は、検出された眼電位をリアルタイムに処理してよい。また、処理部３０２は、検出された眼電位を保存しておいて、保存された眼電位を任意のタイミングで処理してもよい。
【００３８】
装着判定部３０４は、メガネ１００が装着者１０に装着されているか否かを判定する。装着判定部３０４は、眼電位に基づいて、メガネ１００が装着者１０に装着されているか否かを判定してよい。装着判定部３０４は、眼電位が検出されているか否かを判定することにより、メガネ１００が装着者１０に装着されているか否かを判定してよい。例えば、装着判定部３０４は、信号強度が予め定められた閾値より大きい場合に、装着されていると判定し、信号強度が予め定められた閾値より小さい場合に、装着されていないと判定する。装着判定部３０４は、信号強度の絶対値、積分値及び微分値等と閾値とを比較することによって、装着されているか否かを判定してよい。また、例えば、装着判定部３０４は、メガネ１００が装着者１０に装着されているときの眼電位を示す情報と、メガネ１００が装着者１０に装着されていないときの眼電位を示す情報とを予め保持しておき、これらの情報と、眼電位処理部３０２によって処理された眼電位とを比較することによって、メガネ１００が装着者１０に装着されているか否かを判定する。
【００３９】
装着判定部３０４は、メガネ１００が装着者１０に装着されているか否かを判定できれば、他の手法を用いてもよい。例えば、装着判定部３０４は、メガネ１００に設置された不図示の接触センサによる検出結果に基づいて、メガネ１００が装着者１０に装着されているか否かを判定する。装着判定部３０４は、メガネ１００が装着者１０に装着されているか否かを判定できるセンサであれば、どのようなセンサを用いてもよい。例えば、装着判定部３０４は、メガネ１００に設置された不図示の赤外線センサ、加速度センサ、角速度センサ、温度センサ及び測距センサ等によって、メガネ１００が装着者１０に装着されているか否かを判定する。
【００４０】
電力制御部３０６は、処理部３０２に供給する電力を制御する。電力制御部３０６は、バッテリ１４２及びバッテリ２０６のうちの一方の電力を他方の電力よりも優先して処理部３０２に供給させてよい。
【００４１】
例えば、電力制御部３０６は、装着判定部３０４によってメガネ１００が装着者１０に装着されていると判定された場合、装着者１０との距離がバッテリ１４２よりも長いバッテリ２０６の電力を、バッテリ１４２の電力よりも優先して処理部３０２に供給させる。
【００４２】
バッテリ２０６の電力をバッテリ１４２の電力よりも優先して処理部３０２に供給させるとは、バッテリ１４２の電力を処理部３０２に供給させずに、バッテリ２０６の電力を処理部３０２に供給させることであってよい。また、バッテリ２０６の電力をバッテリ１４２の電力よりも優先して処理部３０２に供給させるとは、まず、バッテリ２０６の電力のみを処理部３０２に供給させ、次に、バッテリ１４２の電力を処理部３０２に供給させることであってよい。また、バッテリ２０６の電力をバッテリ１４２の電力よりも優先して処理部３０２に供給させるとは、バッテリ２０６の電力を、バッテリ１４２の電力よりも多く処理部３０２に供給させることであってもよい。
【００４３】
メガネ１００が装着者１０に装着されているときに、バッテリ１４２の電力が使用されずにバッテリ２０６の電力が使用されることによって、装着者１０との距離がバッテリ２０６よりも短いバッテリ１４２を発熱させないようにできる。これにより、バッテリの発熱によって装着者１０にかかる負担を軽減できる。また、メガネ１００が装着者１０に装着されているときに、まずバッテリ２０６の電力が使用されてから、バッテリ１４２の電力が使用されることにより、バッテリの発熱が装着者１０に負担をかける可能性を低減することができ、少なくとも負担をかけるタイミングを遅らせることができる。
【００４４】
また、電力制御部３０６は、装着判定部３０４によってメガネ１００が装着者１０に装着されていないと判定された場合、装着者１０との距離がバッテリ２０６よりも短いバッテリ１４２の電力を、バッテリ２０６の電力よりも優先して処理部３０２に供給させる。電力制御部３０６は、例えば、装着判定部３０４によってメガネ１００が装着者１０に装着されていないと判定された場合、バッテリ２０６の電力を処理部３０２に供給させずに、バッテリ１４２の電力を処理部３０２に供給させる。これにより、バッテリ１４２の発熱が装着者１０に負担をかけない間はバッテリ１４２が優先的に使用されることになり、バッテリ２０６の電力の消費を抑えることができる。
【００４５】
なお、メガネ１００が装着者１０に装着されていない場合、処理部３０２は、例えば、保存されていた眼電位を処理する。また、処理部３０２は、情報端末４００等への処理結果の送信処理を、メガネ１００が装着者１０に装着されていないときに実行してもよい。
【００４６】
充電制御部３０８は、バッテリ１４２とバッテリ２０６との間の充電を制御する。充電制御部３０８は、装着判定部３０４によってメガネ１００が装着者１０に装着されていないと判定された場合に、バッテリ１４２の電力によって、バッテリ２０６を充電させてよい。これにより、バッテリ１４２の発熱が装着者１０に負担をかけない間に、バッテリ１４２の電力によってバッテリ２０６を充電することができる。
【００４７】
充電制御部３０８は、例えば、バッテリ１４２にバッテリ２０６を充電させる制御信号をバッテリ１４２に送信することによって、バッテリ１４２にバッテリ２０６を充電させる。この場合、バッテリ１４２は、配線２１４、コネクタ２０４、コネクタ１４６及び配線１８８を介して、バッテリ２０６を充電してよい。
【００４８】
また、充電制御部３０８は、バッテリ１４２から受給した電力をバッテリ２０６に供給することによって、バッテリ１４２の電力によってバッテリ２０６を充電させてよい。この場合、充電制御部３０８は、配線１８２を介してバッテリ１４２から受給した電力を、配線１７８、コネクタ１３６、コネクタ２０２及び配線２１２を介してバッテリ２０６に供給してよい。
【００４９】
図５は、回路基板１３２の機能構成の他の一例を概略的に示す。回路基板１３２は、処理部３０２、装着判定部３０４、電力制御部３０７、充電制御部３０８、温度取得部３１２、及び電力制御調整部３１４を備える。回路基板１３２がこれらのすべての構成を備えることは必須とは限らない。ここでは、図４と異なる点を主に説明する。
【００５０】
電力制御部３０７は、バッテリ１４２の電力をバッテリ２０６の電力よりも優先して処理部３０２に供給させる。バッテリ１４２の電力をバッテリ２０６の電力よりも優先して処理部３０２に供給させるとは、バッテリ２０６の電力を処理部３０２に供給させずに、バッテリ１４２の電力を処理部３０２に供給させることであってよい。また、バッテリ１４２の電力をバッテリ２０６の電力よりも優先して処理部３０２に供給させるとは、まず、バッテリ１４２の電力のみを処理部３０２に供給させ、次に、バッテリ２０６の電力を処理部３０２に供給させることであってよい。また、バッテリ１４２の電力をバッテリ２０６の電力よりも優先して処理部３０２に供給させるとは、バッテリ１４２の電力を、バッテリ２０６の電力よりも多く処理部３０２に供給させることであってもよい。
【００５１】
温度取得部３１２は、バッテリ１４２の温度を取得する。温度取得部３１２は、温度センサ１４８によって検出された温度を、温度センサ１４８から取得してよい。
【００５２】
電力制御調整部３１４は、温度取得部３１２が取得したバッテリ１４２の温度が、予め定められた閾値より高い場合、電力制御部３０７に、バッテリ２０６の電力をバッテリ１４２の電力よりも優先して処理部３０２に供給させる。これにより、例えば、バッテリ１４２の温度が予め定められた閾値を超えた場合に、バッテリ１４２の使用を停止させて、バッテリ２０６の使用に切替させることができ、バッテリ１４２のさらなる発熱を防止できる。
【００５３】
予め定められた閾値は、任意に設定されてよい。予め定められた閾値は、バッテリ１４２による発熱の温度が、装着者１０に負担をかける温度よりも低く設定されてよい。これにより、バッテリ１４２の温度が装着者１０に負担をかける温度を超える前に、バッテリ１４２の使用を停止させて、バッテリ２０６の使用に切り替えさせることができる。
【００５４】
電力制御調整部３１４は、温度取得部３１２が取得したバッテリ１４２の温度が、予め定められた第１閾値より高い場合、電力制御部３０７に、バッテリ１４２の電力を処理部３０２に供給させずにバッテリ２０６の電力を処理部３０２に供給させ、温度取得部３１２が取得したバッテリ１４２の温度が、第１閾値より低い第２閾値より高く、第１閾値より低い場合、電力制御部３０７に、バッテリ１４２から処理部３０２への電力の供給量を低減させて、バッテリ２０６から処理部３０２への電力の供給量を増加させてもよい。
【００５５】
また、温度取得部３１２は、メガネ１００の周囲の温度を取得してよい。温度取得部３１２は、温度センサ１５８によって検出された温度を、温度センサ１５８から取得してよい。
【００５６】
電力制御調整部３１４は、温度取得部３１２が取得したメガネ１００の周囲の温度が、予め定められた閾値より低い場合、電力制御部３０７に、バッテリ１４２の電力をバッテリ２０６の電力よりも優先して処理部３０２に供給させる。これにより、メガネ１００の周囲の温度が予め定められた閾値より低い場合に、バッテリ１４２及びコネクタ２０４のうち、より装着者１０に近いバッテリ１４２を加熱させることができる。
【００５７】
予め定められた閾値は、任意に設定されてよい。予め定められた閾値は、装着者１０が寒さを感じる気温に設定されてよい。例えば、予め定められた閾値として、１５℃及び１０℃等が設定される。これにより、装着者１０の周囲の気温が、装着者１０が寒さを感じる気温になった場合に、装着者１０により近いバッテリ１４２を加熱することができ、防寒対策の一助とすることができる。なお、本実施形態では、温度センサ１５８がリム１２２に配置される場合を例に挙げて説明したが、これに限らない。温度センサ１５８は、フレーム１１０の他の位置に配置されてもよく、また、結合部材２００のいずれかの位置に配置されてもよい。
【００５８】
図６は、メガネ１００による処理の流れの一例を概略的に示す。図６では、メガネ１００が、装着状態を監視して、装着状態に基づいて電力を制御する処理の流れを概略的に説明する。
【００５９】
ステップ６０２（ステップをＳと省略して記載する場合がある。）では、装着判定部３０４が、メガネ１００の装着状態に変化があったか否かを判定する。装着判定部３０４は、未装着から装着に変化した場合、及び、装着から未装着に変化した場合に、装着状態が変化したと判定してよい。装着状態に変化があったと判定された場合、Ｓ６０４に進み、変化がなかったと判定された場合、Ｓ６０２に戻る。
【００６０】
装着状態の変化が、未装着から装着に変化したことを示す場合（Ｓ６０４：ＹＥＳ）、Ｓ６０６に進み、装着から未装着に変化したことを示す場合（Ｓ６０４：ＮＯ）、Ｓ６０８に進む。Ｓ６０６では、電力制御部３０６が、処理部３０２に電力を供給するバッテリを、バッテリ１４２からバッテリ２０６に切り替える。
【００６１】
Ｓ６０８では、電力制御部３０６が、処理部３０２に電力を供給するバッテリをバッテリ２０６からバッテリ１４２に切り替える。Ｓ６１０では、充電制御部３０８が、バッテリ１４２の電力によってバッテリ２０６を充電させる。Ｓ６１２では、装着状態の監視を終了する指示を受け付けたか否かが判定され、終了指示を受け付けていないと判定された場合、Ｓ６０２に戻り、受け付けたと判定された場合、処理が終了する。
【００６２】
図７は、メガネ１００による処理の流れの一例を概略的に示す。図７では、バッテリ１４２の温度を監視して、バッテリ１４２の温度に基づいて電力を制御する処理の流れを説明する。なお、ここでは、バッテリ１４２の温度が第１閾値及び第２閾値よりも低く、バッテリ１４２の電力が処理部３０２に供給されている状態を開始状態として説明する。
【００６３】
Ｓ７０２では、温度取得部３１２が、温度センサ１４８によって検出されたバッテリ１４２の温度を取得する。Ｓ６０４では、電力制御調整部３１４が、Ｓ７０２で取得された温度が予め定められた第１閾値より高いか否かを判定する。高いと判定された場合、Ｓ７０６に進み、高いと判定されなかった場合、Ｓ７０８に進む。
【００６４】
Ｓ７０６では、電力制御調整部３１４が、電力制御部３０６に、処理部３０２に電力を供給するバッテリを、バッテリ１４２からバッテリ２０６に切り替えさせる。
【００６５】
Ｓ７０８では、電力制御調整部３１４が、Ｓ７０２で取得された温度が、第１閾値よりも低い第２閾値より高いか否かを判定する。高いと判定された場合、Ｓ７１０に進み、高いと判定されなかった場合、Ｓ７１４に進む。
【００６６】
Ｓ７１０では、電力制御調整部３１４が、電力制御部３０７に、処理部３０２に対するバッテリ２０６の電力供給量を増加させる。Ｓ７１２では、電力制御調整部３１４が、電力制御部３０７に、処理部３０２に対するバッテリ１４２の電力供給量を低減させる。
【００６７】
Ｓ７１４では、バッテリ１４２の温度の監視を終了する指示を受け付けたか否かが判定され、終了指示を受け付けていないと判定された場合、Ｓ７０２に戻り、受け付けたと判定された場合、処理が終了する。
【００６８】
上述したように、バッテリ１４２の温度が第２閾値を超えた場合には、処理部３０２に対するバッテリ１４２の電力供給量を低減させることにより、バッテリ１４２の発熱を抑制できる。そして、この場合に、処理部３０２に対するバッテリ２０６の電力供給量を増加させておくことにより、処理部３０２に供給される電力が不足することを防止できる。また、バッテリ１４２の温度が、第２閾値よりも高い第１閾値を超えた場合には、処理部３０２に対するバッテリ１４２の電力供給を停止させる。これにより、バッテリ１４２の発熱を停止させることができる。
【００６９】
なお、図７では、バッテリ１４２の温度が第１閾値より高い場合に、処理部３０２に電力を供給するバッテリをバッテリ１４２からバッテリ２０６に切り替える例を挙げて説明したが、電力制御調整部３１４は、メガネ１００が装着者１０に装着されてからの経過時間に基づいて、電力を供給するバッテリを切り替えさせてもよい。例えば、電力制御調整部３１４は、メガネ１００が装着者１０に装着されてからの経過時間を計測する。そして、メガネ１００が装着者１０に装着されている状態の経過時間が予め定められた閾値を超えた場合に、電力制御部３０６に、処理部３０２に電力を供給するバッテリを、バッテリ１４２からバッテリ２０６に切り替えさせる。これにより、バッテリ１４２が過度に発熱する前に、バッテリ２０６に切り替えさせることができる。予め定められた閾値は、任意に設定されてよい。例えば、メガネ１００が装着者１０に装着されてからの経過時間とバッテリ１４２の温度上昇との関係を実験的に確認した結果に基づいて、予め定められた閾値が設定されてよい。なお、電力制御調整部３１４は、バッテリ２０６に切り替えさせてからの経過時間をさらに計測して、当該経過時間が予め定められた閾値を超えた場合に、電力制御部３０６に、処理部３０２に電力を供給するバッテリをバッテリ２０６からバッテリ１４２に切り替えさせてもよい。
【００７０】
本実施形態では、バッテリ２０６が結合部材２００に設置された場合を例に挙げて説明したが、これに限らない。バッテリ２０６は、フレーム１１０に設置されてもよい。バッテリ２０６は、装着者１０との間の距離がバッテリ１４２よりも長い位置であれば、フレーム１１０のいずれの位置に配置されてもよい。この場合、メガネ１００は、結合部材２００を有さなくてもよい。
【００７１】
また、本実施形態では、バッテリ１４２が右テンプル１４０に設置された場合を例に挙げて説明したが、これに限らない。バッテリ１４２と装着者１０との間の距離が、バッテリ２０６と装着者１０との間の距離よりも短ければ、バッテリ１４２及びバッテリ２０６はどのように配置されてもよい。
【００７２】
本実施形態では、左電極１６２、右電極１６４及び眉間電極１６６と、接地電極１３４及び参照電極１４４とを用いて、眼電位を検出する例を挙げて説明したが、これに限らない。左電極１６２及び右電極１６４と、接地電極１３４及び参照電極１４４とを用いて、眼電位を検出してもよい。また、眼電位を検出できれば、メガネ１００は、図１及び図２に示した電極の配置とは異なる配置の電極を備えてもよい。
【００７３】
また、本実施形態では、眼電位を検出するメガネ１００をアイウエアの一例として説明したが、これに限らない。アイウエアは、電力を使用するメガネであれば、どのようなメガネであってもよい。例えば、アイウエアは、脳波を処理するメガネ、画像を処理するメガネ、及び音声を処理するメガネ等である。
【００７４】
また、本実施形態では、アイウエアの例としてメガネ１００を挙げて説明したが、これに限らない。アイウエアは、サングラス及びヘッドマウントディスプレイ等であってもよい。
【００７５】
図１から図３に示したメガネ１００の各部の形状は例示であり、図示した形状に限らない。
【００７６】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００７７】
特許請求の範囲、明細書、および図面中において示した装置、システム、プログラム、および方法における動作、手順、ステップ、および段階などの各処理の実行順序は、特段「より前に」、「先立って」などと明示しておらず、また、前の処理の出力を後の処理で用いるのでない限り、任意の順序で実現しうることに留意すべきである。特許請求の範囲、明細書、および図面中の動作フローに関して、便宜上「まず、」、「次に、」などを用いて説明したとしても、この順で実施することが必須であることを意味するものではない。
【符号の説明】
【００７８】
１０  装着者、１００  メガネ、１１０  フレーム、１２０  フロント、１２２  リム、１２４  左レンズ、１２６  右レンズ、１３０  左テンプル、１３２  回路基板、１３４  接地電極、１３６  コネクタ、１４０  右テンプル、１４２  バッテリ、１４４  参照電極、１４６  コネクタ、１４８  温度センサ、１５１  支持部材、１５２  左ノーズパッド、１５３  支持部材、１５４  右ノーズパッド、１５６  眉間電極ユニット、１５８  温度センサ、１６２  左電極、１６４  右電極、１６６  眉間電極、１６８  配線、１７２  配線、１７４  配線、１７６  配線、１７８  配線、１８０  配線、１８２  配線、１８４  配線、１８６  配線、１８８  配線、２００  結合部材、２０２  コネクタ、２０４  コネクタ、２０６  バッテリ、２０８  スロット、２１２  配線、２１４  配線、２１６  配線、３０２  処理部、３０４  装着判定部、３０６  電力制御部、３０７  電力制御部、３０８  充電制御部、３１２  温度取得部、３１４  電力制御調整部、４００  情報端末
【図１】
2015202198.tif 000003
【図２】
2015202198.tif 000004
【図３】
2015202198.tif 000005
【図４】
2015202198.tif 000006
【図５】
2015202198.tif 000007
【図６】
2015202198.tif 000008
【図７】
2015202198.tif 000009